(57)【特許請求の範囲】
【請求項１】
通常無色ないし淡色の電子供与性染料前駆体と電子受容性化合物を用い、加熱温度および／または加熱後の冷却速度の違いにより相対的に発色状態と消色状態を形成しうる可逆性感熱発色組成物を支持体上に設けてなる可逆性二色感熱記録材料において、該可逆性感熱発色組成物が互いに発色色調の異なる２種から成り、分離・独立している状態で存在しており、かつ発色状態から消色状態になる時の該電子受容性化合物の結晶化速度が互いに異なり、２種の可逆性感熱発色組成物における電子受容性化合物が、それぞれ一般式（１）および一般式（２）で表される化合物であることを特徴とする可逆性二色感熱記録材料。
【化１】
0003876106.tif 000003
（式化１中、ｎは１以上３以下の整数を、Ｒ1は炭素数１から１８の二価の炭化水素基を、Ｘは少なくとも−ＣＯＮＨ−結合を一つ以上持つ二価の基を表し、Ｒ2は炭素数１から２４の炭化水素基を表す。）
【化２】
0003876106.tif 000004
（式化２中、ｎは１以上３以下の整数を、Ｒ1は炭素数１から１８の二価の炭 化水素基を、Ｘは少なくとも−ＣＯＮＨ−結合を一つ以上持つ二価の基を表し、Ｒ2は炭素数１から２４の炭化水素基を表す。）
【請求項２】
通常無色ないし淡色の電子供与性染料前駆体と電子受容性化合物を用い、加熱温度および／または加熱後の冷却速度の違いにより相対的に発色状態と消色状態を形成しうる可逆性感熱発色組成物を支持体上に設けてなる可逆性感熱記録材料において、該可逆性感熱発色組成物を加熱溶融、急冷して発色状態の混合物を形成するとき、該混合物が異なる温度で形成可能であることを特徴とする請求項１に記載の可逆性二色感熱記録材料。
【請求項３】
可逆性感熱発色組成物を加熱溶融、急冷して得られる発色状態の混合物の少なくとも一方が、示差走査熱量分析または示差熱分析によって、その昇温過程で発熱ピークを示さないことを特徴とする請求項１または２記載の可逆性二色感熱記録材料。
【請求項４】
可逆性感熱発色組成物を加熱溶融、急冷して得られる発色状態の混合物の少なくとも一方が、該組成物を該組成物中の電子受容性化合物の融点以上に加温した状態から室温まで放冷したときに、発色状態を形成しないことを特徴とする請求項１〜３の何れかに記載の可逆性二色感熱記録材料。
【請求項５】
可逆性感熱発色組成物において、少なくとも１種以上が加熱後の冷却によって消去状態を形成する結晶化速度を調節する消色調節剤を含有することを特徴とする請求項１〜４の何れかに記載の可逆性二色感熱記録材料。
【請求項６】
上記消色調節剤として、炭素数６以上の炭化水素基を持つアミン化合物、アンモニウム化合物、イミド化合物、ホスホニウム化合物、カルボン酸ヒドラジド化合物、あるいはスルホニウム化合物から選ばれる少なくとも一種を用いることを特徴とする請求項５記載の可逆性二色感熱記録材料。
【請求項７】
２種の可逆性感熱発色組成物が中間層によって隔てられていることを特徴とする請求項１〜６に何れかに記載の可逆性二色感熱記録材料。
【請求項８】
２種の可逆性感熱発色組成物が半透明、あるいは透明シートの両面に分離・独立している状態で存在していることを特徴とする請求項１〜６に何れかに記載の可逆性二色感熱記録材料。
【請求項９】
請求項８記載の可逆性二色感熱記録材料を支持体に貼り合わせて成ることを特徴とする可逆性二色感熱記録材料。
【請求項１０】
可逆性感熱発色組成物の少なくとも１種が各々単独にマイクロカプセル中に内包されており、該マイクロカプセル壁によって発色温度を調節することを特徴とする請求項１〜９の何れかに記載の可逆性二色感熱記録材料。
【請求項１１】
可逆性感熱発色組成物を支持体上に設けてなる請求項１〜１０の何れかに記載の可逆性二色感熱記録材料を、発色温度の高い該組成物が発色状態を形成し、かつ発色温度の低い該組成物が消色状態を形成しうる冷却速度が得られる温度に加熱した状態で第一の印字をする工程と、発色温度の高い該組成物が発色状態を形成しない温度で発色温度の低い該組成物を発色させる第二の印字工程からなり、全ての発色状態にある該組成物が消色状態を形成しうる冷却速度が得られる温度で消去する工程からなる記録方法。
【発明の詳細な説明】
【０００１】
【発明の属する技術分野】
本発明は、加熱エネルギーの制御により画像形成及び消去が可能な可逆性二色感熱記録材料に関するものである。さらに本発明は、前記記録材料の記録方法に関するものである。
【０００２】
【従来の技術】
感熱記録材料は一般に支持体上に電子供与性の通常無色ないし淡色の染料前駆体（以下、ロイコ染料ともいう）と電子受容性化合物（以下顕色剤ともいう）とを主成分とする感熱記録層を設けたものであり、熱ヘッド、熱ペン、レーザー光等で加熱することにより、染料前駆体と顕色剤とが瞬時反応し記録画像が得られるもので、特公昭４３−４１６０号、特公昭４５−１４０３９号公報等に開示されている。
【０００３】
一般にこのような感熱記録材料は、一度画像を形成するとその部分を消去して再び画像形成前の状態に戻すことは不可能であるため、さらに情報を記録する場合には画像が未形成の部分に追記するしかなかった。このため感熱記録部分の面積が限られている場合には、記録可能な情報が制限され必要な情報を全て記録できないという問題が生じていた。
【０００４】
近年、この様な問題に対処するため画像形成・画像消去が繰り返して可能な可逆性感熱記録材料が考案されており、例えば、特開昭５４−１１９３７７号公報、特開昭６３−３９３７７号公報、特開昭６３−４１１８６号公報では、樹脂母材とこの樹脂母材中に分散された有機低分子から構成された感熱記録材料が記載されている。しかしこの方法は、熱エネルギーによって感熱記録材料の透明度を可逆的に変化させる物であるため、画像形成部と画像未形成部のコントラストが不十分である。
【０００５】
また、特開昭５０−８１１５７号公報、特開昭５０−１０５５５５号公報に記載された方法においては、形成する画像は環境温度に従って変化するものであるため、画像形成状態と消去状態を保持する温度が異なっており、常温下ではこの２つの状態を任意の期間保持することが出来ない。
【０００６】
さらに、特開昭５９−１２０４９２号公報には、呈色成分のヒステリシス特性を利用し、記録材料をヒステリシス温度域に保つことにより画像形成状態・消去状態を維持する方法が記載されているが、この方法では画像形成及び消去に加熱源と冷却源が必要な上、画像の形成状態及び消去状態を保持できる温度領域がヒステリシス温度領域内に限られる欠点を有しており、日常生活の温度環境で使用するには未だ不十分である。
【０００７】
一方、特開平２−１８８２９３号公報、特開平２−１８８２９４号公報、国際公開番号ＷＯ９０／１１８９８号には、ロイコ染料と加熱によりロイコ染料を発色及び消色させる顕減色剤から構成される可逆性感熱記録媒体が記載されている。顕減色剤は、ロイコ染料を発色させる酸性基と、発色したロイコ染料を消色させる塩基性基を有する両性化合物で、熱エネルギーの制御により酸性基による発色作用または塩基性基による消色作用の一方を優先的に発生させ、発色と消色を行うものである。しかしこの方法では、熱エネルギーの制御のみで完全に発色反応と消色反応を切り換えることは不可能で、両反応がある割合で同時に起こるため、十分な発色濃度が得られず、また、消色が完全には行えない。そのために十分な画像のコントラストが得られない。また、塩基性基の消色作用は常温で発色部にも作用するため、経時的に発色部の濃度が低下する現象が避けられない。そして、特開平５−１２４３６０号公報には加熱によりロイコ染料を発色及び消色させる可逆性感熱記録媒体が記載されており、電子受容性化合物として有機リン酸化合物、α−ヒドロキシ脂肪族カルボン酸、脂肪族ジカルボン酸及び炭素数１２以上の脂肪族基を有するアルキルチオフェノール、アルキルオキシフェノール、アルキルカルバモイルフェノール、没食子酸アルキルエステルなどの特定のフェノール化合物が例示されている。しかし、この記録媒体でもやはり発色濃度が低い、または、消色が不完全という二つの問題を同時に解決することはできないし、更にその画像の経時的安定性においても実用上満足すべきものにない。
【０００８】
本出願人らは、先に特開平７−１０８７６１号公報、同７−１７９０４３号公報、および同７−２１４９０７号公報等において、電子受容性化合物として特定の連結基を持ったフェノール化合物が発消色コントラスト、画像の経時安定性および高速消去性に優れていることを示した。
【０００９】
一方、従来から多色感熱記録に対する要望が大きく、最近になって二色感熱記録材料が実用化の域に達してきている。この二色感熱記録材料は、支持体上に異なった発色色調を持つ組成物を積層させ、それぞれを低温エネルギーと高温エネルギーで画像形成する方法を採用している。さらに詳しくは、低温発色画像に高温発色画像を加色する混色型と、高温発色画像を得ると同時に低温発色画像を適当な消去剤を用いて消去してしまう消色型の二種類の方法によって達成されている。しかし、加色型では高温発色画像が低温発色画像を充分に隠蔽できる色調でない限り、コントラストの良い二色画像は得られないし、また消色型では発色色調の組み合わせこそ自由であるが、消去剤を用いるがため発消色コントラスト、画像の経時安定性等の点に問題があった。
【００１０】
最近になって、多色感熱記録材料へのアプローチに可逆性感熱発色組成物を利用した方法も提案されている。特開平６−７９９７０号公報、同６−３０５２４７号公報によれば、消色開始温度の異なる二種類以上の可逆性感熱発色組成物を設け、全ての混合色を形成した後に、適当な温度によって一部の画像を消去し、任意の混色あるいは単色の画像を得るというものが記載されている。しかしこの記録媒体では、消去開始温度の差別化を電子受容性化合物のアルキル基の長さに依存しているため、アルキル基が短い低温消去層の発消色コントラスト、あるいは画像の経時安定性に問題がある。また、画像形成方法が全発色と一部消去という二段階方式であり、更に一部消去に要する加熱時間が非常に長く、高速処理という点でも問題が残り、実用上不都合な点がまだまだ多い。
【００１１】
以上のように、多色感熱記録への要望は大きく、研究が盛んに行われているが、実用的に満足できる材料は、未だ見い出されていないのが現状である。
【００１２】
【発明が解決しようとする課題】
従って、本発明の課題は、安定な発消色コントラストを持ち、また日常生活においても実用上問題のない画像安定性を持ち、更には高速印字・消去可能な可逆性二色感熱発色記録材料、およびその画像記録方法を提供することである。
【００１３】
【課題を解決するための手段】
本発明者は、この課題を解決するため研究を行った結果、通常無色ないし淡色の電子供与性染料前駆体と電子受容性化合物を用いた可逆性感熱発色組成物を支持体上に複数設けた可逆性二色感熱記録材料において、電子受容性化合物の結晶化速度を温度によってコントロールすることにより、任意の発色組成物のみが発色可能であることを見い出し、本発明を完成するに至った。
【００１４】
【発明の実施の形態】
本発明によれば、可逆性感熱発色組成物を支持体上に設けてなる可逆性二色感熱記録材料において、該可逆性感熱発色組成物が互いに発色色調の異なる２種から成り、分離・独立している状態で存在しており、かつ発色状態から消色状態になる時の該電子受容性化合物の結晶化速度が互いに異なることを特徴とする可逆性二色感熱記録材料が提供される。また、本発明によれば、上記可逆性感熱発色組成物を加熱溶融、急冷して発色状態の混合物を形成するとき、該発色体混合物が異なる温度で形成可能であることを特徴とする可逆性二色感熱記録材料が提供される。これらの可逆性二色感熱記録材料は、消色温度の高い該組成物が発色状態を形成し、かつ発色温度の低い該組成物が消色状態を形成しうる冷却速度が得られる温度に加熱した状態で第一の印字をする工程と、発色温度の高い該組成物が発色状態を形成しない温度で発色温度の低い該組成物を発色させる第二の印字工程からなり、全ての発色状態にある該発色組成が消色状態を形成しうる冷却速度が得られる温度で消去する工程からなる記録方法によって提供される。更に本発明は、電子受容性化合物として一般式（１）と（２）の組み合わせを用いる。
【００１５】
【化４】
0003876106.tif 000002
【００１６】
式中、ｎは１以上３以下の整数を、Ｒ1は炭素数１から１８の二価の炭化水素基を、Ｘは少なくとも−ＣＯＮＨ−結合を一つ以上持つ二価の基を表し、Ｒ2は炭素数１から２４の炭化水素基を表す。
【００１７】
式中、Ｒ1は炭素数１から１８の二価の炭化水素基を表すが、好ましくは炭素数１から１２の二価の炭化水素基である。Ｒ2は炭素数１から２４の炭化水素基を表すが、好ましくは炭素数６から２２の炭化水素基である。更に、式中のＲ1とＲ2との炭素数の和が１１以上３５以下である場合が特に好ましい。Ｒ1及びＲ2は具体的には主として、各々アルキレン基及びアルキル基を表すが、それぞれその基中に芳香環を含んでもよく、特にＲ1の場合は芳香環のみでもよい。一方、式中のＸは少なくとも−ＣＯＮＨ−結合を一つ以上持つ二価の基を表わすが、その具体例としては、アミド（−ＣＯＮＨ−、−ＮＨＣＯ−）、尿素（−ＮＨＣＯＮＨ−）、ウレタン（−ＮＨＣＯＯ−、−ＯＣＯＮＨ−）、ジアシルアミン（−ＣＯＮＨＣＯ−）、ジアシルヒドラジド（−ＣＯＮＨＮＨＣＯ−）、しゅう酸ジアミド（−ＮＨＣＯＣＯＮＨ−）、アシル尿素（−ＣＯＮＨＣＯＮＨ−、−ＮＨＣＯＮＨＣＯ−）、３−アシルカルバジン酸エステル（−ＣＯＮＨＮＨＣＯＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ2ＮＨＣＯ−）、１−アシルアミノ−１−ウレイドメタン（−ＣＯＮＨＣＨ2ＮＨＣＯＮＨ−、−ＮＨＣＯＮＨＣＨ2ＮＨＣＯ−）、マロンアミド（−ＮＨＣＯＣＨ2ＣＯＮＨ−）等の基が挙げられる。
【００１８】
本発明の一方に好ましく用いる、一般式（１）〜（２）で表される電子受容性化合物の具体例としては、下記に挙げるものなどがあるが、本発明はこれに限定されるものではない。尚、化合物の具体的合成法は、特開平７−１７９０４３号公報、特願平１１−６９７８７号明細書、特願平１１−２２７３１４号明細書等に記載されている。
【００１９】
一般式（１）である例としては、Ｎ−ｎ−ドデシル−２−（ｐ−ヒドロキシフェニル）アセトアミド、Ｎ−ｎ−オクタデシル−２−（ｐ−ヒドロキシフェニル）アセトアミド、Ｎ−ｎ−デシル−３−（ｐ−ヒドロキシフェニル）プロパンアミド、Ｎ−ｎ−オクタデシル−３−（ｐ−ヒドロキシフェニル）プロパンアミド、Ｎ−ｎ−オクタデシル−６−（ｐ−ヒドロキシフェニル）ヘキサンアミド、Ｎ−ｎ−デシル−１１−（ｐ−ヒドロキシフェニル）ウンデカンアミド、Ｎ−（ｐ−ｎ−オクチルフェニル）−６−（ｐ−ヒドロキシフェニル）ヘキサンアミド、Ｎ−ｎ−オクタデシル−ｐ−（ｐ−ヒドロキシフェニル）ベンズアミド、Ｎ−（ｐ−ヒドロキシフェニル）メチル−ｎ−ドデカンアミド、Ｎ−（ｐ−ヒドロキシフェニル）メチル−ｎ−オクタデカンアミド、Ｎ−［２−（ｐ−ヒドロキシフェニル）エチル］−ｎ−オクタデカンアミド、Ｎ−［６−（ｐ−ヒドロキシフェニル）ヘキシル］−ｎ−デカンアミド、Ｎ−［ｐ−（ｐ−ヒドロキシフェニル）フェニル］−ｎ−オクタデカンアミド、
【００２０】
Ｎ−［２−（ｐ−ヒドロキシフェニル）エチル］−Ｎ′−ｎ−テトラデシル尿素、Ｎ−［２−（ｐ−ヒドロキシフェニル）エチル］−Ｎ′−ｎ−オクタデシル尿素、Ｎ−［２−（３，４−ジヒドロキシフェニル）エチル］−Ｎ′−ｎ−オクタデシル尿素、Ｎ−［６−（ｐ−ヒドロキシフェニル）ヘキシル］−Ｎ′−ｎ−デシル尿素、Ｎ−［ｐ−（ｐ−ヒドロキシフェニル）フェニル］−Ｎ′−ｎ−オクタデシル尿素、Ｎ−［１０−（ｐ−ヒドロキシフェニル）デシル］−Ｎ′−ｎ−デシル尿素、
【００２１】
Ｎ−［２−（ｐ−ヒドロキシフェニル）エチル］カルバミン酸−ｎ−オクタデシル、Ｎ−［６−（ｐ−ヒドロキシフェニル）ヘキシル］カルバミン酸−ｎ−テトラデシル、Ｎ−［ｐ−（ｐ−ヒドロキシフェニル）フェニル］カルバミン酸−ｎ−ドデシル、Ｎ−ｎ−オクタデシルカルバミン酸−［２−（ｐ−ヒドロキシフェニル）エチル］、Ｎ−ｎ−デシルカルバミン酸−［１１−（ｐ−ヒドロキシフェニル）ウンデシル］、Ｎ−ｎ−テトラデシルカルバミン酸−［ｐ−（ｐ−ヒドロキシフェニル）フェニル］、
【００２２】
Ｎ−［３−（ｐ−ヒドロキシフェニル）プロピオニル］−Ｎ−ｎ−オクタデカノイルアミン、Ｎ−［６−（ｐ−ヒドロキシフェニル）ヘキサノイル］−Ｎ−ｎ−オクタデカノイルアミン、Ｎ−［３−（ｐ−ヒドロキシフェニル）プロピオニル］−Ｎ−（ｐ−ｎ−オクチルベンゾイル）アミン、
【００２３】
Ｎ−［２−（ｐ−ヒドロキシフェニル）アセト］−Ｎ′−ｎ−ドデカノヒドラジド、Ｎ−［２−（ｐ−ヒドロキシフェニル）アセト］−Ｎ′−ｎ−オクタデカノヒドラジド、Ｎ−［３−（ｐ−ヒドロキシフェニル）プロピオノ］−Ｎ′−ｎ−オクタデカノヒドラジド、Ｎ−［３−（３，４−ジヒドロキシフェニル）プロピオノ］−Ｎ′−ｎ−オクタデカノヒドラジド、Ｎ−［６−（ｐ−ヒドロキシフェニル）ヘキサノ］−Ｎ′−ｎ−テトラデカノヒドラジド、Ｎ−［６−（ｐ−ヒドロキシフェニル）ヘキサノ］−Ｎ′−ｎ−オクタデカノヒドラジド、Ｎ−［６−（ｐ−ヒドロキシフェニル）ヘキサノ］−Ｎ′−（ｐ−ｎ−オクチルベンゾ）ヒドラジド、Ｎ−［１１−（ｐ−ヒドロキシフェニル）ウンデカノ−Ｎ′−ｎ−デカノヒドラジド、Ｎ−［１１−（ｐ−ヒドロキシフェニル）ウンデカノ−Ｎ′−ｎ−テトラデカノヒドラジド、Ｎ−［１１−（ｐ−ヒドロキシフェニル）ウンデカノ−Ｎ′−ｎ−オクタデカノヒドラジド、Ｎ−［１１−（ｐ−ヒドロキシフェニル）ウンデカノ−Ｎ′−（６−フェニル）ヘキサノヒドラジド、Ｎ−［１１−（３，４，５−トリヒドロキシフェニル）ウンデカノ］−Ｎ′−ｎ−オクタデカノヒドラジド、Ｎ−［ｐ−（ｐ−ヒドロキシフェニル）ベンゾ］−Ｎ′−ｎ−オクタデカノヒドラジド、Ｎ−［ｐ−（ｐ−ヒドロキシフェニルメチル）ベンゾ］−Ｎ′−ｎ−オクタデカノヒドラジド、
【００２４】
Ｎ−［２−（ｐ−ヒドロキシフェニル）エチル］−Ｎ′−ｎ−テトラデシルオキサミド、Ｎ−［３−（ｐ−ヒドロキシフェニル）プロピル］−Ｎ′−ｎ−オクタデシルオキサミド、Ｎ−［３−（３，４−ジヒドロキシフェニル）プロピル］−Ｎ′−ｎ−オクタデシルオキサミド、Ｎ−［１１−（ｐ−ヒドロキシフェニル）ウンデシル］−Ｎ′−ｎ−デシルオキサミド、Ｎ−［ｐ−（ｐ−ヒドロキシフェニル）フェニル］−Ｎ′−ｎ−オクタデシルオキサミド、
【００２５】
Ｎ−［２−（ｐ−ヒドロキシフェニル）アセチル］−Ｎ′−ｎ−ドデシル尿素、Ｎ−［２−（ｐ−ヒドロキシフェニル）アセチル］−Ｎ′−ｎ−オクタデシル尿素、Ｎ−［３−（ｐ−ヒドロキシフェニル）プロピオニル］−Ｎ′−ｎ−オクタデシル尿素、Ｎ−［ｐ−（ｐ−ヒドロキシフェニル）ベンゾイル］−Ｎ′−ｎ−オクタデシル尿素、Ｎ−［２−（ｐ−ヒドロキシフェニル）エチル］−Ｎ′−ｎ−ドデカノイル尿素、Ｎ−［２−（ｐ−ヒドロキシフェニル）エチル］−Ｎ′−ｎ−オクタデカノイル尿素、Ｎ−［ｐ−（ｐ−ヒドロキシフェニル）フェニル］−Ｎ′−ｎ−オクタデカノイル尿素、
【００２６】
３−［３−（ｐ−ヒドロキシフェニル）プロピオニル］カルバジン酸−ｎ−オクタデシル、３−［１１−（ｐ−ヒドロキシフェニル）ウンデカノイル］カルバジン酸−ｎ−デシル、４−［２−（ｐ−ヒドロキシフェニル）エチル］−１−ｎ−テトラデシルセミカルバジド、４−［２−（ｐ−ヒドロキシフェニル）エチル］−１−ｎ−オクタデシルセミカルバジド、４−［ｐ−（ｐ−ヒドロキシフェニル）フェニル］−１−ｎ−テトラデシルセミカルバジド、１−［２−（ｐ−ヒドロキシフェニル）エチル］−４−ｎ−テトラデシルセミカルバジド、１−［２−（ｐ−ヒドロキシフェニル）エチル］−４−ｎ−オクタデシルセミカルバジド、１−［ｐ−（ｐ−ヒドロキシフェニル）フェニル］−４−ｎ−テトラデシルセミカルバジド、１−［２−（ｐ−ヒドロキシフェニル）アセチル］−４−ｎ−テトラデシルセミカルバジド、１−［３−（ｐ−ヒドロキシフェニル）プロピオニル］−４−ｎ−オクタデシルセミカルバジド、１−［１１−（ｐ−ヒドロキシフェニル）ウンデカノイル］−４−ｎ−デシルセミカルバジド、１−［ｐ−（ｐ−ヒドロキシフェニル）ベンゾイル］−４−ｎ−オクタデシルセミカルバジド、４−［２−（ｐ−ヒドロキシフェニル）エチル］−１−ｎ−テトラデカノイルセミカルバジド、４−［２−（ｐ−ヒドロキシフェニル）エチル］−１−ｎ−オクタデデカノイルセミカルバジド、４−［ｐ−（ｐ−ヒドロキシフェニル）フェニル］−１−ｎ−オクタデカノイルセミカルバジド、
【００２７】
１−［２−（ｐ−ヒドロキシフェニル）アセトアミド］−１−ｎ−ドデカノイルアミノメタン、１−［２−（ｐ−ヒドロキシフェニル）アセトアミド］−１−ｎ−オクタデカノイルアミノメタン、１−［３−（ｐ−ヒドロキシフェニル）プロパンアミド］−１−ｎ−オクタデカノイルアミノメタン、１−［１１−（ｐ−ヒドロキシフェニル）ウンデカンアミド］−１−ｎ−デカノイルアミノメタン、１−［ｐ−（ｐ−ヒドロキシフェニル）ベンズアミド］−１−ｎ−オクタデカノイルアミノメタン、
【００２８】
１−［２−（ｐ−ヒドロキシフェニル）アセトアミド］−１−（Ｎ′−ｎ−ドデシルウレイド）メタン、１−［２−（ｐ−ヒドロキシフェニル）アセトアミド］−１−（Ｎ′−ｎ−オクタデシルウレイド）メタン、１−［３−（ｐ−ヒドロキシフェニル）プロパンアミド］−１−（Ｎ′−ｎ−オクタデシルウレイド）メタン、１−［１１−（ｐ−ヒドロキシフェニル）ウンデカンアミド］−１−（Ｎ′−ｎ−デシルウレイド）メタン、１−［ｐ−（ｐ−ヒドロキシフェニル）ベンズアミド］−１−（Ｎ′−ｎ−オクタデシルウレイド）メタン、１−｛Ｎ′−［２−（ｐ−ヒドロキシフェニル）エチル］ウレイド｝−１−ｎ−オクタデカノイルアミノメタン、１−｛Ｎ′−［ｐ−（ｐ−ヒドロキシフェニル）フェニル］ウレイド｝−１−ｎ−オクタデカノイルアミノメタン、
【００２９】
Ｎ−［２−（ｐ−ヒドロキシフェニル）エチル］−Ｎ′−ｎ−オクタデシルマロンアミド、Ｎ−［ｐ−（ｐ−ヒドロキシフェニル）フェニル］−Ｎ′−ｎ−オクタデシルマロンアミド等が挙げられる。
【００３０】
次に、一般式（２）である例としては、Ｎ−ｎ−ドデシル−２−（ｐ−ヒドロキシフェノキシ）アセトアミド、Ｎ−ｎ−オクタデシル−２−（ｐ−ヒドロキシフェノキシ）アセトアミド、Ｎ−ｎ−デシル−３−（ｐ−ヒドロキシフェノキシ）プロパンアミド、Ｎ−ｎ−オクタデシル−３−（ｐ−ヒドロキシフェノキシ）プロパンアミド、Ｎ−ｎ−オクタデシル−６−（ｐ−ヒドロキシフェノキシ）ヘキサンアミド、Ｎ−ｎ−デシル−１１−（ｐ−ヒドロキシフェノキシ）ウンデカンアミド、Ｎ−（ｐ−ｎ−オクチルフェニル）−６−（ｐ−ヒドロキシフェノキシ）ヘキサンアミド、Ｎ−ｎ−オクタデシル−ｐ−（ｐ−ヒドロキシフェノキシ）ベンズアミド、Ｎ−（ｐ−ヒドロキシフェノキシ）メチル−１０−ウンデセンアミド、Ｎ−（ｐ−ヒドロキシフェノキシ）メチル−ｎ−オクタデカンアミド、Ｎ−［２−（ｐ−ヒドロキシフェノキシ）エチル］−ｎ−オクタデカンアミド、Ｎ−［６−（ｐ−ヒドロキシフェノキシ）ヘキシル］−１０−ウンデセンアミド、Ｎ−［ｐ−（ｐ−ヒドロキシフェノキシ）フェニル］−ｎ−オクタデカンアミド、
【００３１】
Ｎ−［２−（ｐ−ヒドロキシフェノキシ）エチル］−Ｎ′−ｎ−テトラデシル尿素、Ｎ−［２−（ｐ−ヒドロキシフェノキシ）エチル］−Ｎ′−ｎ−オクタデシル尿素、Ｎ−［２−（３，４−ジヒドロキシフェノキシ）エチル］−Ｎ′−ｎ−オクタデシル尿素、Ｎ−［６−（ｐ−ヒドロキシフェノキシ）ヘキシル］−Ｎ′−ｎ−デシル尿素、Ｎ−［ｐ−（ｐ−ヒドロキシフェノキシ）フェニル］−Ｎ′−ｎ−オクタデシル尿素、Ｎ−［１０−（ｐ−ヒドロキシフェノキシ）デシル］−Ｎ′−ｎ−デシル尿素、
【００３２】
Ｎ−［２−（ｐ−ヒドロキシフェノキシ）エチル］カルバミン酸−ｎ−オクタデシル、Ｎ−［６−（ｐ−ヒドロキシフェノキシ）ヘキシル］カルバミン酸−ｎ−テトラデシル、Ｎ−［ｐ−（ｐ−ヒドロキシフェノキシ）フェニル］カルバミン酸−ｎ−ドデシル、Ｎ−ｎ−オクタデシルカルバミン酸−［２−（ｐ−ヒドロキシフェノキシ）エチル］、Ｎ−ｎ−デシルカルバミン酸−［１１−（ｐ−ヒドロキシフェノキシ）ウンデシル］、Ｎ−ｎ−テトラデシルカルバミン酸−［ｐ−（ｐ−ヒドロキシフェノキシ）フェニル］、
【００３３】
Ｎ−［３−（ｐ−ヒドロキシフェノキシ）プロピオニル］−Ｎ−ｎ−オクタデカノイルアミン、Ｎ−［６−（ｐ−ヒドロキシフェノキシ）ヘキサノイル］−Ｎ−ｎ−オクタデカノイルアミン、Ｎ−［３−（ｐ−ヒドロキシフェノキシ）プロピオニル］−Ｎ−（ｐ−ｎ−オクチルベンゾイル）アミン、
【００３４】
Ｎ−［２−（ｐ−ヒドロキシフェノキシ）アセト］−Ｎ′−ｎ−ドデカノヒドラジド、Ｎ−［２−（ｐ−ヒドロキシフェノキシ）アセト］−Ｎ′−ｎ−オクタデカノヒドラジド、Ｎ−［３−（ｐ−ヒドロキシフェノキシ）プロピオノ］−Ｎ′−ｎ−オクタデカノヒドラジド、Ｎ−［３−（３，４−ジヒドロキシフェノキシ）プロピオノ］−Ｎ′−ｎ−オクタデカノヒドラジド、Ｎ−［６−（ｐ−ヒドロキシフェノキシ）ヘキサノ］−Ｎ′−ｎ−テトラデカノヒドラジド、Ｎ−［６−（ｐ−ヒドロキシフェノキシ）ヘキサノ］−Ｎ′−ｎ−オクタデカノヒドラジド、Ｎ−［６−（ｐ−ヒドロキシフェノキシ）ヘキサノ］−Ｎ′−（ｐ−ｎ−オクチルベンゾ）ヒドラジド、Ｎ−［１１−（ｐ−ヒドロキシフェノキシ）ウンデカノ−Ｎ′−ｎ−デカノヒドラジド、Ｎ−［１１−（ｐ−ヒドロキシフェノキシ）ウンデカノ−Ｎ′−１０−ウンデセノイルヒドラジド、Ｎ−［１１−（ｐ−ヒドロキシフェノキシ）ウンデカノ−Ｎ′−ｎ−テトラデカノヒドラジド、Ｎ−［１１−（ｐ−ヒドロキシフェノキシ）ウンデカノ−Ｎ′−ｎ−オクタデカノヒドラジド、Ｎ−［１１−（ｐ−ヒドロキシフェノキシ）ウンデカノ−Ｎ′−（６−フェニル）ヘキサノヒドラジド、Ｎ−［１１−（３，４，５−トリヒドロキシフェノキシ）ウンデカノ］−Ｎ′−ｎ−オクタデカノヒドラジド、Ｎ−［ｐ−（ｐ−ヒドロキシフェノキシ）ベンゾ］−Ｎ′−ｎ−オクタデカノヒドラジド、Ｎ−［ｐ−（ｐ−ヒドロキシフェノキシメチル）ベンゾ］−Ｎ′−ｎ−オクタデカノヒドラジド、
【００３５】
Ｎ−［２−（ｐ−ヒドロキシフェノキシ）エチル］−Ｎ′−ｎ−テトラデシルオキサミド、Ｎ−［３−（ｐ−ヒドロキシフェノキシ）プロピル］−Ｎ′−ｎ−オクタデシルオキサミド、Ｎ−［３−（３，４−ジヒドロキシフェノキシ）プロピル］−Ｎ′−ｎ−オクタデシルオキサミド、Ｎ−［１１−（ｐ−ヒドロキシフェノキシ）ウンデシル］−Ｎ′−ｎ−デシルオキサミド、Ｎ−［ｐ−（ｐ−ヒドロキシフェノキシ）フェニル］−Ｎ′−ｎ−オクタデシルオキサミド、
【００３６】
Ｎ−［２−（ｐ−ヒドロキシフェノキシ）アセチル］−Ｎ′−ｎ−ドデシル尿素、Ｎ−［２−（ｐ−ヒドロキシフェノキシ）アセチル］−Ｎ′−ｎ−オクタデシル尿素、Ｎ−［３−（ｐ−ヒドロキシフェノキシ）プロピオニル］−Ｎ′−ｎ−オクタデシル尿素、Ｎ−［ｐ−（ｐ−ヒドロキシフェノキシ）ベンゾイル］−Ｎ′−ｎ−オクタデシル尿素、Ｎ−［２−（ｐ−ヒドロキシフェノキシ）エチル］−Ｎ′−ｎ−ドデカノイル尿素、Ｎ−［２−（ｐ−ヒドロキシフェノキシ）エチル］−Ｎ′−ｎ−オクタデカノイル尿素、Ｎ−［ｐ−（ｐ−ヒドロキシフェノキシ）フェニル］−Ｎ′−ｎ−オクタデカノイル尿素、
【００３７】
３−［３−（ｐ−ヒドロキシフェノキシ）プロピオニル］カルバジン酸−ｎ−オクタデシル、３−［１１−（ｐ−ヒドロキシフェノキシ）ウンデカノイル］カルバジン酸−ｎ−デシル、４−［２−（ｐ−ヒドロキシフェノキシ）エチル］−１−ｎ−テトラデシルセミカルバジド、４−［２−（ｐ−ヒドロキシフェノキシ）エチル］−１−ｎ−オクタデシルセミカルバジド、４−［ｐ−（ｐ−ヒドロキシフェノキシ）フェニル］−１−ｎ−テトラデシルセミカルバジド、１−［２−（ｐ−ヒドロキシフェノキシ）エチル］−４−ｎ−テトラデシルセミカルバジド、１−［２−（ｐ−ヒドロキシフェノキシ）エチル］−４−ｎ−オクタデシルセミカルバジド、１−［ｐ−（ｐ−ヒドロキシフェノキシ）フェニル］−４−ｎ−テトラデシルセミカルバジド、１−［２−（ｐ−ヒドロキシフェノキシ）アセチル］−４−ｎ−テトラデシルセミカルバジド、１−［３−（ｐ−ヒドロキシフェノキシ）プロピオニル］−４−ｎ−オクタデシルセミカルバジド、１−［１１−（ｐ−ヒドロキシフェノキシ）ウンデカノイル］−４−ｎ−デシルセミカルバジド、１−［ｐ−（ｐ−ヒドロキシフェノキシ）ベンゾイル］−４−ｎ−オクタデシルセミカルバジド、４−［２−（ｐ−ヒドロキシフェノキシ）エチル］−１−ｎ−テトラデカノイルセミカルバジド、４−［２−（ｐ−ヒドロキシフェノキシ）エチル］−１−ｎ−オクタデデカノイルセミカルバジド、４−［ｐ−（ｐ−ヒドロキシフェノキシ）フェニル］−１−ｎ−オクタデカノイルセミカルバジド、
【００３８】
１−［２−（ｐ−ヒドロキシフェノキシ）アセトアミド］−１−ｎ−ドデカノイルアミノメタン、１−［２−（ｐ−ヒドロキシフェノキシ）アセトアミド］−１−ｎ−オクタデカノイルアミノメタン、１−［３−（ｐ−ヒドロキシフェノキシ）プロパンアミド］−１−ｎ−オクタデカノイルアミノメタン、１−［１１−（ｐ−ヒドロキシフェノキシ）ウンデカンアミド］−１−ｎ−デカノイルアミノメタン、１−［ｐ−（ｐ−ヒドロキシフェノキシ）ベンズアミド］−１−ｎ−オクタデカノイルアミノメタン、
【００３９】
１−［２−（ｐ−ヒドロキシフェノキシ）アセトアミド］−１−（Ｎ′−ｎ−ドデシルウレイド）メタン、１−［２−（ｐ−ヒドロキシフェノキシ）アセトアミド］−１−（Ｎ′−ｎ−オクタデシルウレイド）メタン、１−［３−（ｐ−ヒドロキシフェノキシ）プロパンアミド］−１−（Ｎ′−ｎ−オクタデシルウレイド）メタン、１−［１１−（ｐ−ヒドロキシフェノキシ）ウンデカンアミド］−１−（Ｎ′−ｎ−デシルウレイド）メタン、１−［ｐ−（ｐ−ヒドロキシフェノキシ）ベンズアミド］−１−（Ｎ′−ｎ−オクタデシルウレイド）メタン、１−｛Ｎ′−［２−（ｐ−ヒドロキシフェノキシ）エチル］ウレイド｝−１−ｎ−オクタデカノイルアミノメタン、１−｛Ｎ′−［ｐ−（ｐ−ヒドロキシフェノキシ）フェニル］ウレイド｝−１−ｎ−オクタデカノイルアミノメタン、
【００４０】
Ｎ−［２−（ｐ−ヒドロキシフェノキシ）エチル］−Ｎ′−ｎ−オクタデシルマロンアミド、Ｎ−［ｐ−（ｐ−ヒドロキシフェノキシ）フェニル］−Ｎ′−ｎ−オクタデシルマロンアミド等が挙げられる。
【００５３】
本発明の可逆性感熱発色組成物における、通常無色ないし淡色の電子供与性染料前駆体に対する電子受容性化合物の使用量は、５〜５０００重量％、好ましくは１０〜３０００重量％である。
【００５４】
本発明に用いられる通常無色ないし淡色の電子供与性染料前駆体としては、一般に感圧記録紙や感熱記録紙等に用いられるものに代表されるが、特に制限されるものではない。具体的な例としては、例えば下記に挙げるものなどがあるが、本発明はこれに限定されるものではない。
【００５５】
（１）トリアリールメタン系化合物
３，３−ビス（ｐ−ジメチルアミノフェニル）−６−ジメチルアミノフタリド（クリスタルバイオレットラクトン）、３，３−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３−（４−ジエチルアミノ−２−エトキシフェニル）−３−（１−エチル−２−メチルインドール−３−イル）フタリド、３−（４−ジエチルアミノ−２−エトキシフェニル）−３−（１−エチル−２−メチルインドール−３−イル）−４−アザフタリド、３−（４−ジエチルアミノ−２−エトキシフェニル）−３−（１−エチル−２−メチルインドール−３−イル）−４，７−ジアザフタリド、３−（４−ジエチルアミノ−２−エトキシフェニル）−３−（１−エチル−２−メチルインドール−３−イル）−７−アザフタリド、３−［（４−エチル−４−フェニル）アミノ−２−エトキシフェニル］−３−（１−エチル−２−メチルインドール−３−イル−４−アザフタリド、３−（４−ジエチルアミノ−２−ｎ−ヘキシルオキシフェニル）−３−（１−エチル−２−メチルインドール−３−イル）−４−アザフタリド、３−（ｐ−ジメチルアミノフェニル）−３−（２−フェニルインドール−３−イル）フタリド、３，３−ビス（１，２−ジメチルインドール−３−イル）−５−ジメチルアミノフタリド、３，３−ビス（１，２−ジメチルインドール−３−イル）−６−ジメチルアミノフタリド、３，３−ビス（９−エチルカルバゾール−３−イル）−５−ジメチルアミノフタリド、３，３−ビス（２−フェニルインドール−３−イル）−５−ジメチルアミノフタリド、３−ｐ−ジメチルアミノフェニル−３−（１−メチルピロール−２−イル）−６−ジメチルアミノフタリド、３，３−ビス（ｐ−ジメチルアミノフェニル）−４−アザフタリド等。
【００５６】
（２）ジフェニルメタン系化合物
４，４′−ビス（ジメチルアミノフェニル）ベンズヒドリルベンジルエーテル、Ｎ−クロロフェニルロイコオーラミン、Ｎ−２，４，５−トリクロロフェニルロイコオーラミン等。
【００５７】
（３）キサンテン系化合物
ローダミンＢアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−フェノキシフルオラン、３−ジエチルアミノ−７−クロロフルオラン、３−ジエチルアミノ−６−クロロ−７−メチルフルオラン、３−ジエチルアミノ−７−（３，４−ジクロロアニリノ）フルオラン、３−ジエチルアミノ−７−（２−クロロアニリノ）フルオラン、
【００５８】
３−ジエチルアミノ−６−メチル−７−アニリノフルオラン、３−（Ｎ−エチル−Ｎ−トリル）アミノ−６−メチル−７−アニリノフルオラン、３−ピペリジノ−６−メチル−７−アニリノフルオラン、３−（Ｎ−エチル−Ｎ−トリル）アミノ−６−メチル−７−フェネチルフルオラン、３−ジエチルアミノ−７−（４−ニトロアニリノ）フルオラン、３−ジエチルアミノ−７−（２−クロロアニリノ）フルオラン、３−ジブチルアミノ−７−（２−クロロアニリノ）フルオラン、３−ジブチルアミノ−６−メチル−７−アニリノフルオラン、３−（Ｎ−メチル−Ｎ−プロピル）アミノ−６−メチル−７−アニリノフルオラン、３−（Ｎ−エチル−Ｎ−イソアミル）アミノ−６−メチル−７−アニリノフルオラン、３−（Ｎ−メチル−Ｎ−シクロヘキシル）アミノ−６−メチル−７−アニリノフルオラン、３−（Ｎ−エチル−Ｎ−テトラヒドロフリル）アミノ−６−メチル−７−アニリノフルオラン等。
【００５９】
（４）チアジン系化合物
ベンゾイルロイコメチレンブルー、ｐ−ニトロベンゾイルロイコメチレンブルー等。
【００６０】
（５）スピロ系化合物
３−メチルスピロジナフトピラン、３−エチルスピロジナフトピラン、３，３′−ジクロロスピロジナフトピラン、３−ベンジルスピロジナフトピラン、３−メチルナフト−（３−メトキシベンゾ）スピロピラン、３−プロピルスピロベンゾピラン等。
【００６１】
前記通常無色ないし淡色の電子供与性染料前駆体は単独でも、または２種以上を混合して使用してもよい。
【００６２】
本発明の可逆性二色感熱記録材料の製造方法の具体例としては、電子供与性染料前駆体と電子受容性化合物である可逆性顕色剤を主成分とし、支持体上に塗布して可逆性感熱記録層を形成する方法が挙げられる。
【００６３】
本発明の可逆性二色感熱記録材料の塗液作製方法としては、各々の化合物を単独で溶媒に溶解もしくは分散媒に分散してから混合する方法、各々の化合物を混ぜ合わせてから溶媒に溶解もしくは分散媒に分散する方法、各々の化合物を加熱溶解し均一化した後冷却し、溶媒に溶解もしくは分散媒に分散する方法等が挙げられるが、特に限定されるものではない。分散時には必要なら分散剤を用いてもよい。水を分散媒として使う場合の分散剤としてはポリビニルアルコール等の水溶性高分子や各種の界面活性剤が利用できる。水系の分散の際は、エタノール等の水溶性有機溶媒を混合してもよい。この他に炭化水素類に代表される有機溶媒が分散媒の場合は、レシチンや燐酸エステル類等を分散剤に用いてもよい。
【００６４】
また、可逆性感熱記録層の強度を向上する等の目的でバインダーを可逆性感熱記録層中に添加する事も可能である。バインダーの具体例としては、デンプン類、ヒドロキシエチルセルロース、メチルセルロース、カルボキシメチルセルロース、ゼラチン、カゼイン、ポリビニルアルコール、変性ポリビニルアルコール、ポリアクリル酸ソーダ、アクリル酸アミド／アクリル酸エステル共重合体、アクリル酸アミド／アクリル酸エステル／メタクリル酸３元共重合体、スチレン／無水マレイン酸共重合体のアルカリ塩、エチレン／無水マレイン酸共重合体のアルカリ塩等の水溶性高分子、ポリ酢酸ビニル、ポリウレタン、ポリアクリル酸エステル、スチレン／ブタジエン共重合体、アクリロニトリル／ブタジエン共重合体、アクリル酸メチル／ブタジエン共重合体、エチレン／酢酸ビニル共重合体、エチレン／塩化ビニル共重合体、ポリ塩化ビニル、エチレン／塩化ビニリデン共重合体、ポリ塩化ビニリデン等のラテックス類が挙げられる。これらのバインダーの役割は、組成物の各素材が印字、消去の熱印加によって片寄ることなく均一に分散した状態を保つことにある。したがって、バインダー樹脂には耐熱性の高い樹脂を用いることが好ましい。最近になって、プリペイドカード、ストアドカードといった付加価値の高い可逆性感熱記録材料が用いられることが多くなり、それに伴い、耐熱性、耐水性、さらには接着性といった高耐久品が要求されるようになってきている。このような要求に対しては、硬化性樹脂は特に好ましい。
【００６５】
硬化性樹脂としては、例えば熱硬化性樹脂、電子線硬化樹脂、紫外線硬化樹脂等が挙げられる。熱硬化性樹脂としては、例えばフェノキシ樹脂、ポリビニルブチラール樹脂、セルロースアセテートプロピオネート樹脂等の水酸基、カルボキシル基が架橋剤と反応し、硬化するものが挙げられる。この際の架橋剤としては、例えば、イソシアネート類、アミン類、フェノール類、エポキシ類等が挙げられる。
【００６６】
電子線および硬化線樹脂に用いられるモノマーとしては、アクリル系に代表される単官能性モノマー、二官能モノマー、多官能モノマー等が挙げられるが、特に紫外線架橋の際には光重合開始剤、光重合促進剤を用いる。
【００６７】
また、可逆性感熱組成物の消色温度を調節するための消色調節剤として、例えば、特開平９−４８１７５号公報、同９−３００８２０号公報、同１０−４４６０７号公報に記載されている化合物を可逆性感熱記録層中に含有させることもできる。６０℃〜２００℃の融点を有するものが好ましく、特に８０℃〜１８０℃の融点を有するものが好ましい。
【００６８】
本発明に好ましく使用される消色調節剤の具体例としては次の化合物が挙げられるが、本発明はこれに限定されない。
【００６９】
Ｎ−（３−ジエチルアミノプロピル）−１１−デシルチオウンデカンアミド、Ｎ−（３−ジエチルアミノプロピル）カルバミド酸−１１−ドデシルチオウンデシル、Ｎ−（２−オクタデシルチオエチル）カルバミド酸−６−ジエチルアミノヘキシル、Ｎ−６−ジメチルアミノカプロノ−Ｎ′−３−ドデシルチオプロピオノヒドラジド、Ｎ−オクデシルカルバミド酸−２−（１−ピロリジニル）エチル、Ｎ−３−ピロリジニルプロピオノ−Ｎ′−オクタデカノヒドラジド、Ｎ−５−１Ｈ−テトラゾリル−Ｎ′−１０−デシルチオデシルウレア、Ｎ−テトラデシルスクシンイミド、Ｎ−ヘキサデシルスクシンイミド、オクタデシルスクシンイミド、Ｎ−ドコシルスクシンイミド、Ｎ−ドデシルグルタルイミド、Ｎ−（４―ヘプチルフェニル）グルタルイミド、Ｎ−テトラデシルグルタルイミド、Ｎ−ヘキサデシルグルタルイミド、Ｎ−オクタデシルグルタルイミド、オクタデカノヒドラジド、ドコサノヒドラジド、３−（ドコシルチオ）プロピオノヒドラジド、１１−（オクタデシルチオ）ウンデカノヒドラジド、１−メチル−２−テトラデシルピラゾリウム  トシレート、１−メチル−３−オクタデシルイミダゾリウム  トシレート、３−オクタデシルチアゾリウム  ブロマイド、１−オクタデシルピリジニウム  トシレート、１−ヘキサデシルピリジニウム  トシレート、１−ヘキサデシルピリジニウム  クロライド等が挙げられる。
【００７０】
更に、同様の消色調整の目的で、一般の感熱記録紙に用いられている増感剤を使用することもできる。これらの化合物としては、Ｎ−ヒドロキシメチルステアリン酸アミド、ベヘン酸アミド、ステアリン酸アミド、パルミチン酸アミドなどのワックス類、２−ベンジルオキシナフタレン等のナフトール誘導体、ｐ−ベンジルビフェニル、４−アリルオキシビフェニル等のビフェニル誘導体、１，２−ビス（３−メチルフェノキシ）エタン、２，２′−ビス（４−メトキシフェノキシ）ジエチルエーテル、ビス（４−メトキシフェニル）エーテル等のポリエーテル化合物、炭酸ジフェニル、シュウ酸ジベンジル、シュウ酸ビス（ｐ−メチルベンジル）エステル等の炭酸またはシュウ酸ジエステル誘導体等があげられ、２種以上併用して添加することもできる。
【００７１】
本発明に係わる２種の可逆性感熱記録層の熱導電性の差異を大きくするために、中間層を設けるか、あるいは少なくとも一方の可逆性感熱組成物をマイクロカプセルに内包することもできる。中間層は前記樹脂バインダーを使用できるほか、耐熱性樹脂フィルムを記録層上に貼り合わせることもできる。マイクロカプセル化はコアセルベーション法、界面重合法、インサイチュ法、スプレードライ法など公知の方法で行える。
【００７２】
本発明の可逆性二色感熱記録材料に用いられる支持体としては、紙、各種不織布、織布、ポリエチレンテレフタレートやポリプロピレン等の合成樹脂フィルム、ポリエチレン、ポリプロピレン等の合成樹脂をラミネートした紙、合成紙、金属箔、ガラス等、あるいはこれらを組み合わせた複合シートを目的に応じて任意に用いることができるが、これらに限定されるものではなく、これらは不透明、半透明或いは透明のいずれであってもよい。地肌を白色その他の特定の色に見せるために、白色顔料や有色染顔料や気泡を支持体中又は表面に含有させても良い。特にフィルム類等水性塗布を行なう場合で、支持体の親水性が小さく、可逆性感熱記録層の塗布困難な場合は、コロナ放電等による表面の親水化処理やバインダーに用いるのと同様の水溶性高分子類を、支持体表面に塗布するなどの易接着処理してもよい。
【００７３】
本発明の可逆性二色感熱記録材料の層構成は、可逆性感熱記録層のみであっても良いし、可逆性感熱記録シートを支持体に貼り合わせたもののみであっても良いが、必要に応じて、可逆性感熱記録層上に保護層を設けることも、また、可逆性感熱記録層と支持体の間に水溶性高分子や白色ないし有色染顔料や中空粒子のいずれか一つ以上を含む中間層を設けることもできる。この場合、保護層および／または中間層は２層ないしは３層以上の複数の層から構成されていてもよい。可逆性感熱記録層も各成分を一層ずつに含有させたり、層別に配合比率を変化させたりして２層以上の多層にしてもよい。更に、可逆性感熱記録層中および／または他の層および／または可逆性感熱記録層が設けられている面と反対側の面に、電気的、光学的、磁気的に情報が記録可能な材料を含んでも良い。また、可逆性感熱記録層が設けられている面と反対側の面にブロッキング防止、カール防止、帯電防止を目的としてバックコート層を設けることもできる。
【００７４】
なお、本発明における各層を支持体上に積層し、本発明の可逆性二色感熱記録材料を形成する方法は特に制限されるものではなく、従来の方法により形成することができる。例えば、エアーナイフコーター、ブレードコーター、バーコーター、カーテンコーター等の塗抹装置、平版、凸版、凹版、フレキソ、グラビア、スクリーン、ホットメルト等の方式による各種印刷機等を用いる事が出来る。さらに通常の乾燥工程の他、ＵＶ照射・ＥＢ照射により各層を保持させることができる。
【００７５】
可逆性感熱記録層は、各成分を微粉砕して得られる各々の分散液を混合し、支持体上に塗布乾燥する方法、各成分を溶媒に溶解して得られる各々の溶液を混合し、支持体上に塗布乾燥する方法などにより得ることができる。乾燥条件は水等の分散媒ないし溶媒によっても異なる。この他に各成分を混合し加熱して可融分を溶融し熱時塗布する方法もある。
【００７６】
また、可逆性感熱記録層及び／または保護層及び／または中間層には、ケイソウ土、タルク、カオリン、焼成カオリン、炭酸カルシウム、炭酸マグネシウム、酸化チタン、酸化亜鉛、酸化ケイ素、水酸化アルミニウム、尿素−ホルマリン樹脂等の顔料、その他に、ヘッド摩耗防止、スティッキング防止等の目的でステアリン酸亜鉛、ステアリン酸カルシウム等の高級脂肪酸金属塩、パラフィン、酸化パラフィン、ポリエチレン、酸化ポリエチレン、ステアリン酸アミド、カスターワックス等のワックス類を、また、ジオクチルスルホこはく酸ナトリウム等の分散剤、さらに界面活性剤、蛍光染料、紫外線吸収剤などを含有させることもできる。
【００７７】
次に、本発明の可逆性二色感熱記録材料の発色及び消色方法について述べる。本発明の可逆性感熱発色組成物のうち、結晶化速度の遅い組成物については、加熱に引き続き急速な冷却が起これば発色し、更には結晶化速度の速い組成物が発色しない加温状態で加熱印字することで可能となる。この様な条件を得る方法としては、例えばサーマルヘッド、熱ロール、熱スタンプ、高周波加熱、熱風、電熱ヒーター及びタングステンランプ、ハロゲンランプ等の光源などからの輻射熱等を用いて本発明の可逆性二色感熱記録材料を加温しながら、サーマルヘッド、レーザー光等による加熱印字がある。一方、結晶化速度の速い組成物の発色を行うには、加熱に引き続き急速な冷却が起これば良く、例えばサーマルヘッド、レーザー光等による加熱により可能である。この時、前記結晶化速度の遅い組成物が発色しない程度のエネルギーを印可することにより、それぞれの単独色が得られる。又、従来の可逆感熱記録材料と同様、加熱後ゆっくり冷却すれば消色し、例えばサーマルヘッド、熱ロール、熱スタンプ、高周波加熱、熱風、電熱ヒーター及びタングステンランプ、ハロゲンランプ等の光源などからの輻射熱等を用いることにより行うことができる。
【００７８】
本発明の発現機構は、これに拘泥されるものではないが以下の通りに考える。即ち、本発明による可逆性二色感熱記録材料は、可逆性発色組成物の発色状態が消色状態になるとき、少なくとも２種の可逆性顕色剤の結晶化速度が異なることを特徴としている。本発明で使用される、結晶化速度が遅い可逆性発色組成物（Ｓ組成物）は、その中に含まれる可逆性顕色剤の融点以上で加熱・溶融すると室温まで放冷された状態でも安定に発色体を形成している。この時のＸ線回折（Ｃｕ−Ｋα）の測定結果を図１中の（ａ）に示す。この発色体は明らかな回折ピークを示さないことから、アモルファス構造体（Ａ構造体）であると考えられる。次いで、この発色体を可逆性顕色剤の融点以下に存在する消色温度領域で加熱し室温まで放冷すると消色体を形成する。この時、図１中（ｂ）から明らかなように、消色体は結晶の回折ピークを有しており、結晶構造体（Ｃ構造体）で存在すると考えられる。一方、本発明で好ましく使用される結晶化速度が速い可逆性発色組成物（Ｒ組成物）は、可逆性顕色剤の融点以上で加熱・溶融した後、室温まで放冷しても、発色体は形成しない。このＲ組成物の発色体を得るためには前記のＳ組成物よりも冷却速度を速くする必要がある。Ｒ組成物の発色体のＸ線回折を図２中の（ａ）に示す。この発色体はＳ組成物とは明らかに異なり、回折ピークを有する構造であることが認められる。この発色体は、図２中（ｂ）の消色体のＣ構造体とは明らかに異なることから、ラメラ構造体（Ｌ構造体）であると考えられる。発色体がＬ構造体をとる組成物は一般的に示差走査熱量分析（ＤＳＣ）によって、発色体の昇温過程で発熱ピークを示さない。すなわち、発色体であるにもかかわらずＬ構造体は、少ない熱エネルギーの授受で瞬時にＣ構造体に構造転移することを示唆している。よってこの様な組成物を組み合わせることで、一方のみの組成物を発色させ、更には両方の組成物を同一温度で消去することが可能になったわけである。
【００７９】
【実施例】
以下、実施例によって本発明を更に詳しく説明する。
【００８０】
実施例１
可逆性顕色剤であるＮ−［１１−（ｐ−ヒドロキシフェノキシ）ウンデカノ］−Ｎ′−デカノヒドラジド４部と電子供与性染料前駆体である３−ジエチルアミノフェニル−７−フェノキシフルオラン１部を１８０℃のホットプレート上で混融し、発色状態を得た。この発色状態から、冷却速度を変化させて２５℃まで冷却し、サンプルを得た。サンプルごとのＸ線回折（Ｃｕ−Ｋα）を測定し、前記結晶構造体が確認された冷却速度をその組成物の結晶化速度とした。その結果、組成物の結晶化速度は５℃／ｓｅｃ．であった。
【００８１】
実施例２
実施例１と同様にして測定した結果、Ｎ−［３−（ｐ−ヒドロキシフェニル）プロピオノ］−Ｎ′−オクタデカノヒドラジドと３−（４−ジエチルアミノ−２−エトキシフェニル）−３−（１−エチル−２−メチルインドール−３−イル）フタリドからなる組成物の結晶化速度は１８０℃／ｓｅｃ．であった。
【００８２】
実施例３
実施例２で用いた発色状態の混合物の示差走査熱量分析を測定したところ、昇温過程で発熱ピークを示さなかった。
【００８３】
上記の結果から、結晶化速度の遅い実施例１をＳ組成物、結晶化速度の速い実施例２をＲ組成物として以下に示すように可逆性感熱塗液を作製した。
【００８４】
実施例４
（Ａ）Ｓ組成物含有可逆性感熱塗液の作製
３−ジエチルアミノフェニル−７−フェノキシフルオラン３０部とＮ−［１１−（ｐ−ヒドロキシフェノキシ）ウンデカノ］−Ｎ′−デカノヒドラジド１００部を８％ポリビニルアセタール（積水化学工業製、ＢＬ−１、アセタール化度６３モル％）のテトラヒドロフラン（ＴＨＦ）溶液９１００部と共にペイントコンディショナーで粉砕し、可逆性感熱分散液（Ａ液）を得た。
【００８５】
（Ｂ）Ｒ組成物含有可逆性感熱塗液の作製
３−（４−ジエチルアミノ−２−エトキシフェニル）−３−（１−エチル−２−メチルインドール−３−イル）フタリド３０部とＮ−［３−（ｐ−ヒドロキシフェニル）プロピオノ］−Ｎ′−オクタデカノヒドラジド１００部およびＮ−オクタデシルスクシンイミド５部を８％ポリビニルアセタール（積水化学工業製、ＢＬ−１、アセタール化度６３モル％）のテトラヒドロフラン（ＴＨＦ）溶液９１００部と共にペイントコンディショナーで粉砕し、可逆性感熱分散液（Ｂ液）を得た。
【００８６】
（Ｃ）可逆性感熱記録層（Ａ液）の塗工
（Ａ）で作製したＡ液にコロネートＬ（日本ポリウレタン株式会社製）２９部を加えた後、ポリエチレンテレフタレート（ＰＥＴ）シートに、固形分塗抹量６．０ｇ／ｍ2となる様に塗抹した。６０℃で２４時間乾燥し、スーパーカレンダ ーで処理して可逆性感熱記録層を得た。
【００８７】
（Ｄ）中間層の塗工
８％ポリビニルアセタール（積水化学工業製、ＢＬ−１、アセタール化度６３モル％）のテトラヒドロフラン（ＴＨＦ）溶液９１００部にコロネートＬ２９部を混合し、（Ｃ）で塗抹した記録層上に、固形分塗抹量１０．０ｇ／ｍ2 となる様に塗抹した。６０℃で２４時間乾燥し、スーパーカレンダーで処理して中間層を得た。
【００８８】
（Ｅ）可逆性感熱記録層（Ｂ液）の塗工
（Ｄ）で作製した塗工シート上に、（Ｂ）で作製したＢ液にコロネートＬ２９部を加えた後、固形分塗抹量４．５ｇ／ｍ2となる様に塗抹した。６０℃で２４時間乾燥し、スーパーカレンダーで処理して可逆性二色感熱記録材料を得た。
【００８９】
比較例１
実施例１と同様に、ヘキサデシルホスホン酸と１，２−ベンゾ−６−（Ｎ−エチル−Ｎ−ｉｓｏ−アミルアミノ）フルオランからなる組成物、およびリン酸ジヘキサデシルと３−ジエチルアミノ−６−メチル−７−アニリノフルオランからなる組成物の結晶化速度を測定したところ、両者の組成物はいずれも０．５℃／ｓｅｃ．以下と非常に遅く、違いが認められなかった。
【００９０】
比較例２
実施例４中、Ａ液の３−ジエチルアミノフェニル−７−フェノキシフルオランを１，２−ベンゾ−６−（Ｎ−エチル−Ｎ−ｉｓｏ−アミルアミノ）フルオランに、Ｎ−［１１−（ｐ−ヒドロキシフェノキシ）ウンデカノ］−Ｎ′−デカノヒドラジドをヘキサデシルホスホン酸に変更した。またＢ液の３−（４−ジエチルアミノ−２−エトキシフェニル）−３−（１−エチル−２−メチルインドール−３−イル）フタリドを３−ジエチルアミノ−６−メチル−７−アニリノフルオランに、Ｎ−［３−（ｐ−ヒドロキシフェニル）プロピオノ］−Ｎ′−オクタデカノヒドラジドをリン酸ジヘキサデシルに変更した他は、実施例４と同様に可逆性二色感熱記録材料を作製した。
【００９１】
試験１（Ｓ組成物の発色性）
実施例４および比較例２で得た可逆性二色感熱記録材料を、九州松下電機（株）製ＣＡＲＤ  ＲＥＡＤＥＲ  ＷＲＩＴＥＲ  ＫＵＲ−３０７１を用いて、消去バーを１３０℃で駆動しながら印字エネルギー０．８２６ｍｊ／ｄｏｔｓ相当で印字したところ、本発明の実施例では鮮明な赤発色画像のみが得られた。それに対し比較例では、発色濃度が非常に低く、しかも黒発色との混色画像となった。この結果から本発明におけるＳ組成物は、Ｒ組成物よりも高い温度で発色体を形成することが確認できた。
【００９２】
試験２（Ｒ組成物の発色性）
試験１と同様にＫＵＲ−３０００を用いて、消去バーを駆動せずに、印字エネルギー０．６２６ｍｊ／ｄｏｔｓ相当で印字したところ、本発明の実施例では鮮明な青発色画像のみが得られた。それに対し比較例では、ほとんど発色しなかった。
【００９３】
試験３（二色画像の消去性）
試験１および２で得られた二色発色画像に、熱スタンプを用いて１５０℃で１秒間加熱したところ、本発明の実施例では赤発色・青発色の画像とも完全に消去された。それに対し比較例では、消去できず、むしろ発色濃度が上がる傾向にあった。
【００９４】
試験４（二色画像の画像安定性）
試験１および２で得られた二色発色画像を４０℃、相対湿度９０％の条件下で２４時間保存したところ、本発明の実施例では赤発色・青発色の画像ともほぼ完全に残った。それに対し比較例では、赤発色画像はほぼ完全に消失し、黒発色画像が僅かに視認できる程度までに消失してしまった。
【００９５】
【発明の効果】
以上試験の結果から、本発明は安定な発消色コントラストを持ち、また日常生活においても実用上問題のない画像安定性を持ち、更には高速印字・消去可能な可逆性二色感熱発色記録材料、およびその画像記録方法を提供することができた。
【図面の簡単な説明】
【図１】本発明で用いる結晶化速度が遅い発色組成物（Ｓ組成物）のＸ線回折図。
【図２】本発明で用いる結晶化速度が速い発色組成物（Ｒ組成物）のＸ線回折図。
【図１】
0003876106.tif 000005
【図２】
0003876106.tif 000006